(57)【要約】【課題】本発明は、箱の中の物品を取り出さずに登録作業ができ、登録作業の時間短縮やオペレータの疲労の軽減を図ることができる。【解決手段】箱サイズを選択する箱選択手段１７と、各物品３１毎に物品情報を記憶した無線タグ３２を付け、この無線タグ３２から無線により物品情報を読み取る無線タグリーダライタ１４と、梱包物３６を計量する重量計１３と、配送情報を入力する入力手段１５と、配送料金を記憶した配送料金ファイル２０と、箱選択手段１７と無線タグリーダライト１４と入力手段１５とから読み出された情報を記憶する顧客ファイル２１と、梱包物３６の料金と配送料金とを、顧客ファイル２１と配送料金ファイル２０の情報に基づいて計算する機能を有するマイクロプロセツサ１２とを備える。【選択図】    図１
2005008293.tif 000002
【特許請求の範囲】
【請求項１】
箱サイズを選択する箱選択手段と、各物品毎に物品情報を記憶した無線タグを付け、この無線タグから無線により物品情報を読み取る読取手段と、梱包物を計量する重量計と、配送情報を入力する入力手段と、配送料金を記憶した配送料金ファイルと、前記箱選択手段と前記読取手段と前記入力手段とから読み出された情報を記憶する顧客ファイルと、前記梱包物の料金と配送料金とを前記顧客ファイルと前記配送料金ファイルとの情報に基づいて計算する機能を有する制御処理手段とを備えることを特徴とする配送物品集計装置。
【発明の詳細な説明】
【０００１】
【発明の属する技術分野】
本発明は、スーパマーケット等の店舗の売り場で購入した物品を箱または籠に入れた、そのままの状態の梱包物を集計し、配送することができる配送物品集計装置に関する。
【０００２】
【従来の技術】
例えば、送り主は、親もとを離れている子供等に複数個の物品を配送する場合に、スーパマーケット等で購入した多くの物品を、家に持ち帰り、その物品を入れるに都合のよい箱を入手してから梱包し、その梱包物にお届け伝票を添付し、配達業者に依頼し配送していた。
【０００３】
また、複数の物品を梱包する際、可能な限り同一梱包として、別送する手間を省き配送を効率よくする必要がある。そして、単一梱包とすることができる物品リストは、物品毎の重量を積算し、予め定められた梱包の許容重量を超えない範囲で単一梱包可能であり、あるいは物品毎の体積を積算し、予め定められた梱包の許容体積を超えない範囲で、単一梱包とすることができる。（例えば、特許文献１参照）。
【０００４】
【特許文献１】
特開２００１−２４３３８５号公報（第３−４頁、図５）
【０００５】
【発明が解決しようとする課題】
しかしながら、送り主は、多数の物品を家に持ち帰り、これらの物品を梱包する箱を調達し、物品を箱に入れ梱包する。このため送り主は、梱包に手間がかかり大きな負担を強いられていた。
【０００６】
本発明は、箱の中から物品を取り出さずに登録作業ができ、したがって、登録時間の時間短縮やオペレータの疲労の軽減をすることができる配送物品集計装置を提供することを目的とする。
【０００７】
【課題を解決するための手段】
箱サイズを選択する箱選択手段と、各物品毎に物品情報を記憶した無線タグを付け、この無線タグから無線により物品情報を読み取る読取手段と、梱包物を計量する重量計と、配送情報を入力する入力手段と、配送料金を記憶した配送料金ファイルと、前記箱選択手段と前記読取手段と前記入力手段とから読み出された情報を記憶する顧客ファイルと、前記梱包物の料金と配送料金とを前記顧客ファイルと前記配送料金ファイルとの情報に基づいて計算する機能を有する制御処理手段とを備えた。
【０００８】
【発明の実施の形態】
以下、本発明の一実施形態について図面を参照して説明する。
【０００９】
図１は、本実施形態の配送物品集計装置の主要部ブロック図である。この配送物品集計装置１１は、制御部本体を構成するマイクロプロセッサ１２（制御処理手段）を設け、このマイクロプロセッサ１２により、重量計１３、無線タグリーダライタ１４、入力手段１５、表示手段１６、箱サイズを選択する箱選択手段１７、全ての箱サイズ情報を格納した箱情報ファイル１８、販売する全ての物品の物品情報を格納した物品情報ファイル１９、配送料金ファイル２０、物品を販売した顧客の情報を格納する顧客別ファイル２１、レシート用プリンタ２２、ジャーナル用プリンタ２３および上位機器であるホストコンピュータとデータの送受信を行うホストインターフェース２４をそれぞれ制御（制御処理手段）するようになっている。前記無線タグリーダライタ１４は、送受信器２５とアンテナ２６とからなる。
【００１０】
図２は、物品及び梱包用の箱を示す外観図である。配送物品集計装置１１で使用する物品及び箱の具体例を示す。ただし、本実施形態では、これに限定されるものではない。
【００１１】
本実施形態の物品３１には、その物品３１を特定するために必要な物品情報をメモリに記憶した電子荷札としての無線タグ３２が付けられている。
【００１２】
また、箱３３の外面の複数の部分には、箱サイズ情報３４、例えば、箱識別コード及び箱サイズ等が印刷されている。
【００１３】
顧客（送り主）は、まず、物品３１を配送するための梱包用の箱３３を選択する。店舗内には、複数の梱包用の箱３３が用意されている。例えば、箱サイズ情報３４としてサイズ（Ｌ、Ｍ、Ｓ）、大きさ（縱、横、幅）、箱の重量値及び箱単価等の一覧が表示されている。なお、この箱サイズ情報３４は、箱サイズ情報ファイル１８に格納されている。
【００１４】
図３及び図４は、配送物品集計装置の全体構成を示す。図に示すように、配送物品集計装置１１を用いてスーパマーケット等の店舗内に設置した状態について説明する。３５は、物品置き台である。顧客は、各物品に無線タグ３２が付けられた複数の物品３１、３１、…を梱包用の箱３３に入れて、前記物品置き台３５に載せる。なお、ここで、複数の物品３１、３１…の入った箱３３を以下、梱包物３６という。
【００１５】
前記物品置き台３５の中央部には物品３１、３１、…を入れた梱包物３６を計量する重量計１３を設け、この重量計１３の一方の側に無線タグリーダライタ１４を設置し、かつ、重量計１３の両側に無線タグリーダライタ１４のアンテナ２６、２６が配置されている。
【００１６】
１５は入力手段で、顧客（送り主）情報及び届け先情報の住所、氏名等をキー操作で入力するようになっている。
【００１７】
１６は表示手段で、購入した物品の物品名、物品単価、物品合計金額及び重量値等又は、箱単価、梱包物３６の重量値、梱包物３６の料金、配送料金等を表示する。表示手段１６で表示された物品名、単価、合計金額、箱単価、配送料金及び総合計金額等をレシート発行するレシート用プリンタ２２と、ジャーナル用プリンタ２３とを設けている。なお、梱包物３６の料金とは、箱単価と各物品の単価等を合計した金額をいう。
【００１８】
前記無線タグ３２には、物品情報として、物品識別コード、物品名、物品単価及び物品重量値等が記憶されている。
【００１９】
ここで、無線タグ３２は、構成を図示しないが、外部との間で通信を行うためのアンテナと、このアンテナと接続された送受信器と、物品情報等を記憶する記憶部（メモリ）と、外部から書きこみ指令を受信したときに記憶部に物品情報の書き込みを行うとともに外部から読み取り指令を受信したときに記憶部に記憶された物品情報を外部に送信する処理を行う処理部（ＣＰＵ）などから構成されている。
【００２０】
さらに、この無線タグ３２は、外部からアンテナを介した電力供給を受けて電源電圧を作成し、前記した各部へ電源供給を行うように構成されている。この無線タグ３２自体の構成は、従来から無線を用いたタグとして種々提案されているものと同様のものである。
【００２１】
オペレータは、物品置き台３５に載せた梱包物３６を重量計１３の上に移動させ、梱包物３６の重量を計量する。装置１１は、計量された梱包物３６の重量値を顧客ファイル２１に登録を行う。
【００２２】
つづいて、箱３３の外面に印刷された箱サイズ情報３４、例えば、箱サイズ（Ｌ、Ｍ、Ｓ）の内、Ｌを選択し、箱選択手段１７のキーを操作し入力する。
【００２３】
ここで、選択された箱３３の箱サイズ情報３４は、箱識別コード、サイズ、大きさ、箱単価、箱重量値等を顧客ファイル２１に登録される。
【００２４】
つぎに、入力手段１５のキーを操作して、無線タグリーダライタ１４の読み取り指令を発生させる。前記無線タグリーダ１４は前記装置１１から読み取り指令が発生すると、前記アンテナ２６、２６を介して、梱包物３６の中の各物品３１、３１…に付けらた無線タグ３２に対して無線により問い合わせを行い、無線タグ３２からの応答により物品情報を受信する。無線タグリーダライタ１４は無線タグ３２から物品情報を受信すると、その物品情報を装置１１に転送する。
【００２５】
前記装置１１は、無線タグリーダライタ１４から物品情報を受け取ると、この物品情報の物品識別コード、物品名、物品単価及び重量値等に基づいて物品情報ファイル１９を検索し、該当する物品３１の物品名、物品単価、重量値及びその他の情報等を読み出して登録処理を行う。ここで、物品情報ファイル１９は、少なくとも、物品識別コード、物品名、物品単価及び物品重量値等が記憶されている。
【００２６】
このとき、無線タグ３２からの物品情報に物品３１の重量値があるとその重量値をメモリに加算して記憶し、また、無線タグ３２からの物品情報に物品の重量値がなく物品情報ファイル１９に該当する物品の重量値があるときにはその重量値をメモリに加算して記憶する。
【００２７】
前記無線タグリーダ１４は梱包物３６内の全ての物品３１、３１…についての物品情報の受け取りを確認すると装置１１に、読み取り終了信号を転送する。
【００２８】
装置１１は無線タグリーダ１４から読み取り終了信号を受け取ると、重量計１３の重量値と、メモリに加算記憶した各物品の合計値と登録されている箱３３の重量値を読み出して加算した重量値とを表示手段１６に表示するとともに各物品単価と合計金額とを表示する。
【００２９】
次に、オペレータは、梱包物３６の配送料金を算出するために、顧客の物品お届け伝票から送り主及び届け先情報の住所、氏名等を入力手段１５からキー操作し入力をする。この情報に基づき、店舗を配送元地域とし、届け先住所を配送先地域として、配送区分等から配送料金ファイル２０を検索し、配送料金を求める。
【００３０】
ここで、配送料金ファイル２０は、少なくとも、重さ区分、配送区域、配送単価等を記憶している。なお、配送業者によって特殊な条件を定めて配送区域の取り扱いをしない例外的なものもある。本実施形態は一例である。
【００３１】
前記装置１１は、物品単価、物品合計価格、箱単価及び配送料金により総合計金額を計算し、表示手段１６には、物品名、物品単価、物品合計金額、箱単価、配送料金及び総合計金額等が表示される。
【００３２】
つづいて、オペレータは、重量計１３の上に載っている梱包物３６を、物品置き台３５の位置に移動させてから顧客から代金を受け取り、装置１１のレシート用プリンタ２２が発行するレシートを顧客に手渡す。
【００３３】
つづいて、オペレータは、お届け先伝票を貼付した梱包物３６を、店舗内にある配送部門に搬送し、配送部門から配送先に配送されるようになっている。
【００３４】
このように本装置１１は、梱包物３６の料金と配送料金を含むすべての精算を集計することができる。なお、無線タグ３２のメモリに記憶する物品情報は、物品識別コードのみの場合、物品情報ファイル１９に物品名、物品価格や重量値等の物品情報を格納しておけばよい。
【００３５】
物品情報ファイル１９は、物品識別コード、物品名、物品単価及び物品重量値の格納エリアを設け、各物品毎に、物品識別コード、物品名、物品単価及び物品重量値をそれぞれ格納している。
【００３６】
前記無線タグ３２のメモリには、物品識別コード、物品名、物品単価及び物品重量値等の格納エリアを設け、物品毎に、物品識別コード、物品名、物品単価及び物品重量値等をそれぞれ格納している。ただし、物品の種類によっては、物品識別コード及び物品名の情報が格納されていることもある。その場合には、物品情報ファイル１９を検索して、その他の情報を入手する必要がある。
【００３７】
図５は、配送物品集計装置のマイクロプロセッサの主要部処理を示すフローチャート図である。本実施形態に係る配送物品集計装置１１のマイクロプロセッサ（制御処理手段）１２は、図に示す登録処理を行うようにプログラム設定されている。
【００３８】
まず、Ｓ１にて、重量計１３により物品３１の入った梱包物３６の重量を計量する。
【００３９】
つづいて、Ｓ２にて、箱３３の箱識別コード又は、箱サイズを認識し、箱サイズを選択した箱選択手段１７により、箱識別コードまたは、箱サイズを選択する。選択した箱識別コードまたは、箱サイズにより箱サイズ情報ファイル１８から、該当する箱のサイズ、単価、箱重量値等を読み出す。該当する箱識別コード、サイズ、単価、重量値等を顧客ファイル２０に登録する。
【００４０】
そして、入力手段１５のキー入力により読み取り指令の発生を待機する。この状態で読み取り指令発生のためのキー操作が行われ、読み取り指令が発生すると、Ｓ３にて、無線タグリーダライタ１４を駆動し、箱３３内の各物品に付いている無線タグ３２に無線による問い合わせを行い、任意の無線タグ３２から物品識別コードを受信する。
【００４１】
このとき、無線タグ３２のメモリには、物品識別コード、物品名、物品単価及び物品重量値が格納されている場合は、物品識別コードの他、物品単価及び物品重量値も受信する。つづいて、受信した物品識別コードにより物品情報ファイル１９を検索し、該当する物品の物品名、物品単価及び物品重量値等を読み出す。
【００４２】
つづいて、Ｓ４にて受信した物品識別コードにより物品情報ファイル１９を検索し、該当する物品の物品名、物品単価及び物品重量値等を読み出す。
【００４３】
つづいて、Ｓ５にて、該当する物品の物品名、物品単価及び物品重量値等を顧客ファイル２１に登録する。そして、Ｓ３〜Ｓ５の処理を全ての物品３１、３１…の無線タグ３２に対して問い合わせが終了するまで繰り返す。
【００４４】
全ての無線タグ３２に対する問合せが終了すると、つづいてＳ６にて、重量計１３から取り組んだ梱包物３６の重量値と、顧客ファイル２１に登録された全物品の重量値及び箱の重量値とを加算した合計重量値を表示手段１６に表示する。
【００４５】
つづいて、Ｓ７にて、入力した届け先情報と店舗からの配送区分を参照して配送料金を表示手段１６に表示する。
【００４６】
つづいて、Ｓ８にて、各ファイルに登録された物品３１、３１…の物品単価、物品合計金額、箱単価及び配送料金等より総合計金額計を計算し、表示手段１６に物品名、物品単価、物品合計金額、箱単価、配送料金及び総合計金額が表示される。
【００４７】
つづいて、Ｓ９にて登録した物品の物品名、物品単価、物品合計金額、箱単価、配送料金及び総合計金額をレシート用プリンタ２２でレシート用紙に印字する。また、ジャーナル用プリンタ２３でジャーナル用紙に印字する。
【００４８】
つづいて、オペレータは、顧客から物品合計金額と箱単価とを合計した梱包物３６の料金と配送料金の総合計金額の支払いを受けるとともに、レシートを手渡す。
【００４９】
そして、最後にＳ１０にて顧客ファイル２１に登録した１顧客分の少なくとも、物品の物品識別コード、物品単価、物品合計金額、箱単価、配送料金及び総合計金額をホストインターフェース２４からホストコンピュータへ送信する。
【００５０】
本実施形態において、箱サイズを選択する箱選択手段１７を用いているが、この箱選択手段１７に代えて、他の実施形態として、箱サイズ情報３４を箱３３の外面にバーコード（２次元コードも含む）を印刷又は貼付し、前記箱サイズ情報３４をバーコードリーダまたはバーコードスキャナー等の読取手段で読み取り、この読み取り情報に基づき箱サイズ情報ファイル１８から検索し、顧客ファイル２１に登録する。
【００５１】
また、他の実施形態として、箱３３の外面に無線タグを取り付けて無線タグリーダライタ１４の読み取り手段で読み取る方法にしてもよい。この方法によれば、物品３１の無線タグ３２の無線タグリーダライタ１４の読み取り手段と共用することができる。
【００５２】
また、物品の重量値を無線タグ３２のメモリ部に登録させることにより、重量計１３を本装置１１から省くこともできる。
【００５３】
以上、本実施形態は、顧客（送り主）が複数の箱の中から好適な箱を自在に選択できる。また実際の物品を見て、あるいは、物品に触れて箱に合った物品を選ぶことができる。また、物品を店舗内の売り場で必要に応じ箱に一杯入れることができる。また、店舗内から直接に物品配送先に配送することができる。
【００５４】
また、オペレータは、箱の中の物品を取り出さずに登録作業ができ、物品を入れ替える手間が省ける。したがって、登録作業の時間短縮や疲労の軽減を図ることができる。
【００５５】
なお、本発明は、上記実施の形態そのままに限定されるものではなく、実施段階ではその要旨を逸脱しない範囲で構成要素を変形して具体化できる。また、上記実施の形態に開示されている複数の構成要素の適宜な組み合せにより種々の発明を形成できる。
【００５６】
【発明の効果】
本発明は、箱の中の物品を取り出さずに登録作業ができ、登録作業の時間短縮や店員の疲労の軽減を図ることができる。
【図面の簡単な説明】
【図１】本発明に係る配送物品集計装置の一実施形態を示すブロック図である。
【図２】同実施の形態における物品及び梱包用の箱の一例を示す外観図である。
【図３】同実施の形態における配送物品集計装置の構成を示す平面図である。
【図４】同実施の形態における配送物品集計装置の構成を示す側面図である。
【図５】同実施の形態における配送物品集計装置のマイクロプロセツサの主要部処理を示すフローチャート図である。
【符号の説明】
１２  マイクロプロセツサ（制御処理手段）
１３  重量計
１４  無線タグリーダライタ（読取手段）
１５  入力手段
１６  表示手段
１７  箱選択手段
１８  箱サイズ情報ファイル
１９  物品情報ファイル
２０  配送料金ファイル
２１  顧客ファイル
２２  レシート用プリンタ
２３  ジャーナル用プリンタ
３１  物品
３２  無線タグ
３３  箱
３４  箱サイズ情報
３６  梱包物
【図１】
2005008293.tif 000003
【図２】
2005008293.tif 000004
【図３】
2005008293.tif 000005
【図４】
2005008293.tif 000006
【図５】
2005008293.tif 000007